(57)【要約】【課題】対象物の離脱を防止して移送上の便宜性を図る包装箱アセンブリーを提供する。【解決手段】内部に第１空気層が形成される第１包装部と、前記第１包装部と一体または分離形成され、内部に第２空気層が形成される第２包装部と、前記第１包装部と前記第２包装部との間に形成された空間に挿入され、前記第１包装部の前記第１空気層及び前記第２包装部の前記第２空気層と共に対象物を支持するように複数個の装着孔が所定間隔で離隔して形成され、内部に第３空気層が形成されるトレイ部とを含む包装箱アセンブリーが開示される。【選択図】図１
2020203722.tif 000002
【特許請求の範囲】
【請求項１】
内部に第１空気層が形成される第１包装部と、
前記第１包装部と一体または分離形成され、内部に第２空気層が形成される第２包装部と、
前記第１包装部と前記第２包装部との間に形成された空間に挿入され、前記第１包装部の前記第１空気層及び前記第２包装部の前記第２空気層と共に対象物を支持するように複数個の装着孔が所定間隔で離隔して形成され、内部に第３空気層が形成されるトレイ部とを含むことを特徴とする包装箱アセンブリー。
【請求項２】
前記第１包装部と前記第２包装部との間に形成された前記空間に前記トレイ部が挿入された後、前記第１空気層、前記第２空気層及び前記第３空気層に空気が注入されて、前記トレイ部の前記装着孔に収納される前記対象物が支持されることを特徴とする請求項１に記載の包装箱アセンブリー。
【請求項３】
前記第１包装部及び前記第２包装部のそれぞれは、
前記対象物を支持する複数の支持面が所定間隔で離隔して形成されており、両端部が折り曲がる本体部と、
前記本体部の少なくとも一側に延長形成されている接合部とを含むことを特徴とする請求項１に記載の包装箱アセンブリー。
【請求項４】
前記複数の支持面には、複数のガス排出孔が所定間隔で離隔して形成されていることを特徴とする請求項３に記載の包装箱アセンブリー。
【請求項５】
前記第１包装部は、
広告が付着可能な広告部が形成されており、両端部が折り曲がる本体部と、
前記本体部の少なくとも一側に延長形成されている接合部とを含むことを特徴とする請求項１に記載の包装箱アセンブリー。
【請求項６】
前記第１包装部、前記第２包装部及び前記トレイ部のそれぞれには、前記包装箱アセンブリーの使用後、前記第１空気層、前記第２空気層、及び前記第３空気層内の空気が排出可能に構成された切開部が形成されていることを特徴とする請求項１に記載の包装箱アセンブリー。
【請求項７】
前記第１包装部及び前記第２包装部は、上部及び下部にそれぞれ配置され、
前記第１包装部及び前記第２包装部が接触するそれぞれの接合部に接合工程が行われて、前記第１包装部及び前記第２包装部は一体で形成されることを特徴とする請求項１に記載の包装箱アセンブリー。
【請求項８】
前記第１包装部の一側及び前記第２包装部の一側には、空気の流入及び流出を許容する少なくとも一つの通気ホールまたは開口部が形成されることを特徴とする請求項１に記載の包装箱アセンブリー。
【請求項９】
前記トレイ部の前記装着孔の内側周りには少なくとも一つの空気袋が設けられ、
前記空気袋のサイズは、前記対象物のサイズに逆比例するように変動可能なことを特徴とする請求項１に記載の包装箱アセンブリー。
【請求項１０】
前記第１包装部の外側面及び前記第２包装部の外側面にそれぞれ具備されている取っ手部をさらに含むことを特徴とする請求項１に記載の包装箱アセンブリー。
【発明の詳細な説明】
【技術分野】
【０００１】
本発明は、包装箱アセンブリーに関し、さらに詳しくは、対象物の上下及び側面のいずれもが、空気充填された第１包装部、第２包装部、トレイ部によって密着固定されることができるので、運搬過程で対象物の離脱を防止し、外力による対象物の破損を最小化することができ、使用後に廃棄が容易な包装箱アセンブリーに関する。
【背景技術】
【０００２】
通常、りんご、梨、桃などの果実は、その流通性を確保するために一つの包装箱に多数個の果実を入れて箱単位で流通する。
【０００３】
この時、包装箱に入れられた果実は、流通過程で互いにぶつかり表面が変形したり傷んだりして損傷されやすいという問題点がある。
【０００４】
このような問題点を解決するために、包装箱の内部に卵座溝部が配置された果実卵座板を利用して果実をそれぞれ区画して配置させて、果実同士の接触を防止できるようにすることで、包装の安全化が行われている。
【０００５】
しかし、このような果実卵座板を使用する場合でも、運送過程で包装箱の振動やある一側への傾き現象が発生する場合は、卵座溝部に配置されていた果実が流動して互いにぶつかったり卵座溝部から外れて包装箱のある一側に集中して互いにぶつかるようになる。
【０００６】
このような課題解決の一環として、特許文献１には、卵座構造を持った卵座溝部及び前記卵座溝部の内面に形成されるしわ部を含む果実卵座板について開示されている。
【０００７】
上記先行文献の場合、しわ部のしわ構造が果実を加圧させてその離脱防止を最小化することを特徴とする。
【０００８】
しかし、上記先行文献には、果実の上部面などを加圧支持する手段については全く開示されておらず、上記卵座板がひっくり返ったり、ある程度傾いた場合、果実がそのまま離脱するという問題点が存在する。
【０００９】
また、従来の包装箱は、卵座溝部が果実のサイズにあわせて形成されないため、果実が破損しやすいという問題があった。
【先行技術文献】
【特許文献】
【００１０】
【特許文献１】大韓民国公開実用新案公報第２０−２０１０−００００１５６号
【発明の概要】
【発明が解決しようとする課題】
【００１１】
本発明は、上記のような問題点を解決するために案出されたもので、本発明の目的は、果実などの対象物をエアバッグ原理によって緩衝収容できるだけでなく、対象物の離脱を防止して移送上の便宜性を図る包装箱アセンブリーを提供することにある。
【００１２】
本発明の他の目的は、多様なサイズの対象物が運搬可能な包装箱アセンブリーを提供することにある。
【００１３】
本発明のまた他の目的は、使用後に廃棄が容易な包装箱アセンブリーを提供することにある。
【課題を解決するための手段】
【００１４】
上記目的を達成するための本発明による包装箱アセンブリーは、内部に第１空気層が形成される第１包装部と、前記第１包装部と一体または分離形成され、内部に第２空気層が形成される第２包装部と、前記第１包装部と第２包装部との間に形成された空間に挿入され、前記第１包装部の前記第１空気層及び前記第２包装部の前記第２空気層と共に対象物を支持するように複数個の装着孔が所定間隔で離隔して形成され、内部に第３空気層が形成されるトレイ部とを含むことができる。
【００１５】
前記第１包装部と前記第２包装部との間に形成された前記空間に前記トレイ部が挿入された後、前記第１空気層、前記第２空気層及び前記第３空気層に空気が注入されて、前記トレイ部の前記装着孔に収納される前記対象物が支持されることができる。
【００１６】
前記第１包装部及び前記第２包装部のそれぞれは、前記対象物を支持する複数の支持面が所定間隔で離隔して形成されており、両端部が折り曲がる本体部と、前記本体部の少なくとも一側に延長形成されている接合部とを含むことができる。
【００１７】
前記複数の支持面には、複数のガス排出孔が所定間隔で離隔して形成されることができる。
【００１８】
前記第１包装部は、広告が付着可能な広告部が形成されており、両端部が折り曲がる本体部と、前記本体部の少なくとも一側に延長形成されている接合部とを含むことができる。
【００１９】
前記第１包装部、前記第２包装部及び前記トレイ部のそれぞれには、前記包装箱アセンブリーの使用後、前記第１空気層、前記第２空気層、及び前記第３空気層内の空気が排出可能に構成された切開部が形成されることができる。
【００２０】
前記第１包装部及び前記第２包装部は、上部及び下部にそれぞれ配置され、前記第１包装部及び前記第２包装部が接触するそれぞれの接合部に接合工程が行われて、前記第１包装部及び前記第２包装部は一体で形成されることができる。
【００２１】
前記第１包装部の一側及び前記第２包装部の一側には、空気の流入及び流出を許容する少なくとも一つの通気ホールまたは開口部が形成されることができる。
【００２２】
前記トレイ部の前記装着孔の内側周りには少なくとも一つの空気袋が設けられ、前記空気袋のサイズは、前記対象物のサイズに逆比例するように変動することができる。
【００２３】
前記包装箱アセンブリーは、前記第１包装部の外側面及び前記第２包装部の外側面にそれぞれ具備されている取っ手部をさらに含むことができる。
【発明の効果】
【００２４】
本発明による包装箱アセンブリーは、対象物の上下及び側面のいずれもが、空気充填された第１包装部、第２包装部、トレイ部によって密着固定されることができ、運搬過程で対象物の離脱を防止し、外力による対象物の破損を最小化することができる効果を図る。
【００２５】
また、通気ホールまたは開口部が具備されており、前記包装箱アセンブリー内に収納された対象物の新鮮度を維持することができる利点がある。
【００２６】
また、対象物のサイズに逆比例する空気袋が装着孔の内側周りに形成されており、多様なサイズの対象物も容易に運搬することができる利点がある。
【００２７】
さらに、前記包装箱アセンブリーは、切開部を具備しており、前記包装箱アセンブリーの使用後の廃棄が容易であり、充填された空気の排出も容易な効果を図る。
【図面の簡単な説明】
【００２８】
【図１】本発明の一実施例による包装箱アセンブリーを概略的に図示した展開図である。
【図２】本発明の他の実施例による包装箱アセンブリーを概略的に図示した展開図である。
【図３】本発明のまた他の実施例による包装箱アセンブリーを概略的に図示した展開図である。
【図４】本発明のまた他の実施例による包装箱アセンブリーを概略的に図示した展開図である。
【図５】（ａ）は、図２に図示された包装箱アセンブリーの展開図を組立てた状態を概略的に図示したものであり、（ｂ）は、（ａ）の包装箱アセンブリーを接合し空気を充填した状態を概略的に図示したものである。
【図６】本発明の他の一実施例による、通気ホールを具備した包装箱アセンブリーの斜視図である。
【図７】本発明のまた他の実施例による、開口部を具備した包装箱アセンブリーの斜視図である。
【図８】本発明のまた他の実施例による、切開部を具備した包装箱アセンブリーの斜視図である。
【図９】（ａ）は、本発明のまた他の実施例による、広告部を具備した包装箱アセンブリーの斜視図であり、（ｂ）は、（ａ）に図示された第１包装部に空気を充填する前の展開図を概略的に図示したものである。
【図１０】本発明の一実施例によるトレイ部を概略的に図示したものである。
【発明を実施するための形態】
【００２９】
本明細書で使用される技術的用語は、単に特定の実施例を説明するために使用されたもので、本発明を限定しようとする意図ではないことを留意すべきである。また、本明細書で使用される技術的用語は、本明細書で特に他の意味で定義されない限り、本発明が属する技術分野で通常の知識を持った者によって一般的に理解される意味で解釈されるべきであり、過度に包括的な意味で解釈されるか、過度に縮小された意味で解釈されてはならない。また、本明細書で使用される技術的な用語が本発明の思想を正確に表現できない誤った技術的用語である時は、当業者が正しく理解できる技術的用語に代替して理解されるべきであろう。
【００３０】
また、本発明で使用される一般的な用語は、事前に定義されているものにより、または前後文脈上により、解釈されるべきであり、過度に縮小された意味で解釈されてはならない。
【００３１】
また、本明細書で使用される単数の表現は、文脈上明らかに異なって意味しない限り、複数の表現を含む。本出願において、「構成される」または「含む」などの用語は、明細書上に記載された様々な構成要素、または様々な段階を必ずしも全て含むと解釈されてはならず、その中で一部の構成要素または一部の段階は含まれなくてもよく、または追加的な構成要素または段階をさらに含むことができると解釈されるべきである。
【００３２】
以下、実施例を通じて本発明をさらに具体的に説明するが、下記の例に本発明の範疇が限定されるものではない。
【００３３】
図１は、本発明の一実施例による包装箱アセンブリーを概略的に図示した展開図である。
【００３４】
図１を参照すると、本発明の一実施例による包装箱アセンブリー１０００は、第１包装部７００ａ、第２包装部７００ｂ及びトレイ部６００を含むことができる。
【００３５】
前記第１包装部７００ａは、内部に第１空気層が形成されることができる。
【００３６】
前記第２包装部７００ｂは、前記第１包装部７００ａと一体で形成され、内部に第２空気層が形成されることができる。
【００３７】
前記トレイ部６００は、前記第１包装部７００ａと第２包装部７００ｂとの間に形成された空間に挿入され、前記第１包装部７００ａの前記第１空気層及び前記第２包装部７００ｂの前記第２空気層と共に対象物を支持するように複数個の装着孔８００が所定間隔で離隔して形成され、内部に第３空気層が形成されることができる。
【００３８】
前記第１包装部７００ａ及び前記第２包装部７００ｂをさらに詳しく説明すると、以下の通りである。
【００３９】
前記第１包装部７００ａは、本体部７１０及び接合部７３０を含むことができる。
【００４０】
前記本体部７１０には、対象物（図示せず）を支持する複数の支持面７１２が所定間隔で離隔して形成されることができる。
【００４１】
図１には、前記本体部７１０の上面だけが図示されているが、前記本体部７１０は、上面及び下面の二重で形成されることができる。また、前記支持面７１２も前記本体部７１０の上面に形成されたことだけが図示されているが、前記本体部７１０の下面にも前記支持面７１２が形成されている。
【００４２】
前記本体部７１０の上面及び下面にそれぞれ設けられた前記支持面７１２は、熱接合または超音波接合などの接合工程によって相互接合することができる。
【００４３】
前記接合部７３０は、前記本体部７１０の少なくとも一側に延長形成されることができる。
【００４４】
前記第２包装部７００ｂは、本体部７２０及び接合部７３０を含むことができる。
【００４５】
前記本体部７２０には、対象物（図示せず）を支持する複数の支持面７２２が所定間隔で離隔して形成されることができる。
【００４６】
前記本体部７１０と同様に、前記本体部７２０も上面及び下面の二重で形成されることができる。また、前記支持面７２２も、前記本体部７２０の上面及び下面にそれぞれ形成されている。
【００４７】
前記本体部７２０の上面及び下面にそれぞれ設けられた前記支持面７２２は、熱接合または超音波接合などの接合工程によって相互接合することができる。
【００４８】
前記支持面７２２には、複数のガス排出孔７２４が所定間隔で離隔して形成されることができる。前記ガス排出孔７２４は、対象物を運搬する過程で通気性を良好にするために設けられたものである。第１包装部７００ａの支持面７１２にも、複数のガス排出孔が形成可能なことは自明である。
【００４９】
前記接合部７３０は、前記本体部７２０の少なくとも一側に延長形成することができる。
【００５０】
本実施例によると、前記第１包装部７００ａ及び前記第２包装部７００ｂは、水平方向に一体で形成されており、前記トレイ部６００は、前記第１包装部７００ａ及び前記第２包装部７００ｂと分離形成されている。
【００５１】
図２は、本発明の他の実施例による包装箱アセンブリーを概略的に図示した展開図である。
【００５２】
図２を参照すると、本発明の他の実施例による包装箱アセンブリー１０００は、図１の包装箱アセンブリー１０００と対比して、前記第１包装部７００ａ及び前記第２包装部７００ｂが垂直方向に一体で形成されていることを除いては、図１の包装箱アセンブリー１０００と同一の構成を具備している。従って、図２の包装箱アセンブリー１０００の細部構成については、その説明を省略する。
【００５３】
図３は、本発明のまた他の実施例による包装箱アセンブリーを概略的に図示した展開図である。
【００５４】
図３を参照すると、本発明のまた他の実施例による包装箱アセンブリー１０００は、図１の包装箱アセンブリー１０００と対比して、前記第１包装部７００ａ及び前記第２包装部７００ｂが分離形成されており、前記第２包装部７００ｂと前記トレイ部６００が一体で形成されていることを除いては、図１の包装箱アセンブリー１０００と同一の構成を具備している。従って、図３の包装箱アセンブリー１０００の細部構成については、その説明を省略する。
【００５５】
図４は、本発明のまた他の実施例による包装箱アセンブリーを概略的に図示した展開図である。
【００５６】
図４を参照すると、本発明のまた他の実施例による包装箱アセンブリー１０００は、図１の包装箱アセンブリー１０００と対比して、前記第１包装部７００ａ、前記第２包装部７００ｂ、前記トレイ部６００が全て分離形成されていることを除いては、図１の包装箱アセンブリー１０００と同一の構成を具備している。従って、図４の包装箱アセンブリー１０００の細部構成については、その説明を省略する。
【００５７】
図５（ａ）は、図２に図示された包装箱アセンブリーの展開図を組立てた状態を概略的に図示したものである。図５（ｂ）は、図５（ａ）の包装箱アセンブリーを接合し空気を充填した状態を概略的に図示したものである。
【００５８】
図５（ａ）及び５（ｂ）を参照すると、前記第１包装部７００ａと前記第２包装部７００ｂとの間に形成された空間に前記トレイ部６００が挿入される。
【００５９】
この時、前記第１包装部７００ａの本体部７１０の両端部と前記第２包装部７００ｂの本体部７２０の両端部は折れ曲がる。
【００６０】
前記第１包装部７００ａの接合部７３０と前記第２包装部７００ｂの接合部７３０は、熱接合または超音波接合などの接合工程によって相互接合する。
【００６１】
前記トレイ部６００の装着孔８００に対象物（図示せず）を収納する。この時、対象物は、果実などの外部衝撃に破損されやすい対象物であればどれでも可能である。
【００６２】
前記第１包装部７００ａの空気注入口７６０と前記トレイ部６００の空気注入口６４０に空気が注入されれば、前記第１包装部７００ａの内部の第１空気層及び前記トレイ部６００の内部の第３空気層に空気が満たされる。
【００６３】
この時、前記第１包装部７００ａと前記第２包装部７００ｂは一体で形成されているので、前記第１包装部７００ａの空気注入口７６０を通じて注入された空気は、前記第２包装部７００ｂの内部の第２空気層にも満たされる。
【００６４】
空気が充填された包装箱アセンブリーは、図５（ｂ）に図示された通りである。
【００６５】
本発明によると、対象物の上下及び側面のいずれもが、空気充填された第１包装部、第２包装部、トレイ部によって密着固定されることができ、運搬過程で対象物の離脱を防止し、外力による対象物の破損を最小化することができる。
【００６６】
一方、図５（ｂ）に図示されていないが、前記第１包装部７００ａの本体部７１０の外側面及び前記第２包装部７００ｂの本体部７２０の外側面には取っ手部がそれぞれ具備されることができる。
【００６７】
図６は、本発明の他の一実施例による、通気ホールを具備した包装箱アセンブリーの斜視図である。図７は、本発明のまた他の実施例による、開口部を具備した包装箱アセンブリーの斜視図である。
【００６８】
図６を参照すると、第１包装部７００ａの本体部７１０と第２包装部７００ｂの本体部７２０の側面には、それぞれ複数の通気ホール７４５が具備されている。前記通気ホール７４５を通じて外部空気は包装箱アセンブリー１０００の内部に流入され、包装箱アセンブリー１０００の内部空気は外部に流出されることができ、トレイ部６００内に収納されている果実などの対象物の新鮮度を維持させることができる。
【００６９】
図７を参照すると、第１包装部７００ａの本体部７１０と第２包装部７００ｂの本体部７２０の側面には、それぞれ開口部７５０が具備されている。同様に、前記開口部７５０を通じて、外部空気は包装箱アセンブリー１０００内部に流入され、包装箱アセンブリー１０００の内部空気は外部に流出されることができ、トレイ部６００内に保管されている果実などの対象物の新鮮度を維持させることができる。
【００７０】
また、前記開口部７５０は、対象物の新鮮度を維持させる機能以外に、取っ手の用途でも使用されることができる。
【００７１】
図８は、本発明のまた他の実施例による、切開部を具備した包装箱アセンブリーの斜視図である。
【００７２】
図８を参照すると、第１包装部７００ａは、前記第１包装部７００ａ内に充填された空気を排出させるか前記第１包装部７００ａを容易に破れるようにする第１切開部７４０を具備している。
【００７３】
トレイ部６００も前記第１包装部７００ａの第１切開部７４０と同一の機能の第２切開部６３０を含んでいる。
【００７４】
前記第１切開部７４０及び前記第２切開部６３０の末端部分は、所定部分切開されている構成であるので、使用者は、前記末端部分に少ない力を加えても第１包装部７００ａ及びトレイ部６００を容易に切開することができ、第１包装部７００ａ及びトレイ部６００内の空気を容易に排出させることができる。従って、包装箱アセンブリー１０００の廃棄が容易になることができる。
【００７５】
本実施例では、第１包装部７００ａのみに第１切開部７４０が具備されていると図示されているが、第２包装部７００ｂにも切開部が具備されることができることは自明である。
【００７６】
図９（ａ）は、本発明のまた他の実施例による、広告部を具備した包装箱アセンブリーの斜視図である。図９（ｂ）は、図９（ａ）に図示された第１包装部に空気を充填する前の展開図を概略的に図示したものである。
【００７７】
図９（ａ）及び図９（ｂ）を参照すると、包装箱アセンブリー１０００の第１包装部７００ａの本体部７１０に広告部７１１が設けられている。
【００７８】
前記広告部７１１には、対象物の情報やその他の広告可能な情報が記載されることができる。前記広告部７１１には、対象物などに対する直接的な情報だけでなく、当該情報が確認可能なＱＲコード（登録商標）などが記載されることができる。
【００７９】
図１０は、本発明の一実施例によるトレイ部を概略的に図示したものである。
【００８０】
図１０を参照すると、トレイ部６００は、上面部材６１０及び下面部材６２０を含むことができる。前記上面部材６１０及び前記下面部材６２０の間に空気が充填されて第３空気層が形成されることができる。
【００８１】
複数の装着孔８００は、前記トレイ部６００に所定間隔で離隔して形成されている。
【００８２】
前記装着孔８００の内側周りには少なくとも一つの空気袋８１０が具備されることができる。前記空気袋８１０のサイズは、対象物（図示せず）のサイズに逆比例して変更可能である。
【００８３】
これをより詳しく説明すると、サイズの大きい対象物が前記装着孔８００に安着されれば、前記空気袋８１０には空気が少なく満たされるようになり、空気袋８１０のサイズは小さくなる。反対に、サイズの小さい対象物が前記装着孔８００に安着されれば、前記空気袋８１０には空気が多く満たされるようになり、空気袋８１０のサイズは大きくなる。
【００８４】
即ち、サイズが異なる複数の対象物を包装しても、装着孔８００の内側周りに設けられた、サイズが可変可能な空気袋８１０によって、それぞれの対象物は安定した状態を維持しながら包装及び運搬されることができる。
【００８５】
以上では、本発明の特定の好ましい実施例について説明したが、本発明は、上述した特定の実施例に限定されず、特許請求の範囲で請求する本発明の要旨を逸脱することなく、当該本発明が属する技術分野で通常の知識を持った者であれば誰もが多様な変形実施が可能なことは勿論であり、そのような変形は請求の範囲記載の範囲内にある。
【符号の説明】
【００８６】
６００：トレイ部
７００ａ：第１包装部
７００ｂ：第２包装部
７１０、７２０：本体部
７１２、７２２：支持面
７３０：接合部
７１１：広告部
８００：装着孔
８１０：空気袋
１０００：包装箱アセンブリー
【図１】
2020203722.tif 000003
【図２】
2020203722.tif 000004
【図３】
2020203722.tif 000005
【図４】
2020203722.tif 000006
【図５】
2020203722.tif 000007
【図６】
2020203722.tif 000008
【図７】
2020203722.tif 000009
【図８】
2020203722.tif 000010
【図９】
2020203722.tif 000011
【図１０】
2020203722.tif 000012